(57)【要約】      （修正有）【課題】光触媒酸化チタンの酸化分解機能を十分に反応できるように設置場所を目視で確認できる造花等装飾品を提供する。【解決手段】造花の花葉部の表面に光触媒作用を有する酸化チタン、ならびに変色性顔料などを塗布するか、含有してなる造花等装飾品。【選択図】図１
2005170019.tif 000002
【特許請求の範囲】
【請求項１】
光触媒作用を有する酸化チタン、ならびに変色性の顔料を用いた造花等装飾品。
【請求項２】
変色性の顔料を下塗り層に、光触媒作用を有する酸化チタンを上塗り層に用いた造花等装飾品。
【請求項３】
光触媒作用を有する酸化チタン、もしくは酸化チタンと芳香族化合物ならびに変色性の顔料を混合した組成物を用いた造花等装飾品。
【発明の詳細な説明】
【発明の詳細な説明】
【技術分野】
【０００１】  本発明は、造花等装飾品（以後、装飾品という）に関し、光触媒作用を有する酸化チタンを用いて、太陽光などで室内のシックハウス症候群の原因物質をはじめ、有機物、有害化学物質、悪臭成分、雑菌などを分解低減できるようにする。さらに目視では判らない有機物、悪臭等の分解低減の効果機能を装飾品の基材表面が変色することで装飾品の設置設定場所が有機物、悪臭等の分解低減の効果機能上有効に発揮できる位置であることを示す装飾品に関するものである。
【背景技術】
【０００２】  近年、シックハウス症候群が大きな社会問題となっています。清浄化のために酸化チタンに代表される光触媒反応の応用研究が盛んに行われています。光触媒酸化チタンに、光源として太陽光やブラックライト、蛍光灯などに含まれる紫外線などを照射すると光化学反応を起こし、水の分解の他に各種有機物を分解する働きがあり、多分野で応用がなされています。また特許面でも多数の開示と先行技術を見ることができます。しかしながら光触媒効果機能のうちで親水性機能による防曇性、セルフクリーニング性、安易洗浄性や防汚機能などは、その効果が目で確認できますが消臭や有機物、有害化学物質等の分解などは目視では判らず、優れた効果機能が一般的に認知、承認されにくく、また光触媒応用商品の普及にも時間がかかるようです。
【発明が解決しようとする課題】
【０００３】  開示された従来の技術においては、有機物分解のための向上策についての記載もあるが、酸化チタンの光化学反応には紫外線の光源下であることが必要であり、紫外線光量の多少が効果試験数値にも現れます。如何に光触媒作用を有する酸化チタンを用いた装飾品を有効な紫外線照射域、使用域に設置することが極めて重要で効果的であることが判り、本発明に至った。
【０００４】  本発明は、光触媒酸化チタンの優れた効果機能を室内使用目的の応用商品が設置場所によっては反応せずに効果が活かされないために、光触媒酸化チタンが光化学反応を起こすのに必要な紫外線光量が照射している場所を簡単に目視で選定できて、装飾品の変色の色調でより有効な反応場所を探し出し、分解機能を発揮させることを可能にした装飾品を提供するものである。
【課題を解決するための手段】
【０００５】  本発明の第１は、造花、人工観葉植物の花葉部（イ）の表裏面に光触媒作用を有する酸化チタン粒子（Ａ）と無機質のバインダー（Ｂ）との組成物（ＡＢ）を塗布する花葉材、ならびに花葉部（ロ）の表裏面に変色する顔料（Ｃ）を塗布する花葉材とを立体的に配置して組み立てる造花等装飾品。本発明の第２は、造花、人工観葉植物の花葉部（イ）の表裏面に変色する顔料（Ｃ）を下塗り層に塗布し、光触媒作用を有する酸化チタン粒子（Ａ）と無機バインダー（Ｂ）との組成物（ＡＢ）を上塗り層に塗布する花葉材で立体的に配置して組み立てる造花等装飾品。本発明の第３は、造花、人工観葉植物の花葉部（イ）の表裏面に光触媒作用を有する酸化チタン粒子（Ａ）と無機質のバインダー（Ｂ）との組成物（ＡＢ）を塗布する花葉材、ならびに酸化チタン粒子（Ｄ）と、変色する顔料（Ｃ）、芳香族化合物（Ｅ）から選ばれた１種以上を混合した組成物（ＤＣ、ＤＥ、ＥＣ、ＤＥＣ）のうち１種以上を塗布する構造の花葉材を立体的に配置して組み立てる造花等装飾品
【０００６】  本発明は、光触媒作用を有する酸化チタン、および酸化チタン、変色する顔料染料、芳香族化合物からなることを特徴とする。また装飾品基材上に塗布または基材に含有してなることを特徴とする。
【０００７】  本発明に用いる光触媒作用を有する酸化チタン粒子としては、二酸化チタンのほか水酸化チタン、メタチタン酸他、などがあるが二酸化チタンが好ましい。また結晶型についても特に制限されないが、例えばアナターゼ型、ブルカイト型、ルチル型、アモルファス型など何れであってもよいが、アナターゼ型が好ましい。光触媒作用を有する酸化チタン粒子と無機質バインダーとの組成物としては石原産業株式会社製の「ＳＴ−Ｋ０１」コーティング剤なども好ましい組成物として利用できる。
【０００８】  本発明において用いる変色する顔料染料は光照射などの外的要因で変色する発光顔料や蛍光顔料から選ばれた１種以上の顔料染料であることが好ましい。例えば近紫外線（３８０ｎｍ以下の短波長帯域の光）に反応する顔料染料やアントラセン、フェナントレン等芳香族化合物などとの合成で紫外線吸収を高め蛍光強度が増すようにする。変色する顔料としては株式会社松井色素化学工業所製の「フォトピア・アクアライトインキ」などは好ましい顔料染料として利用できる。
【０００９】  本発明の装飾品は、基材、素材、形状、製法、製品など特に制限するものではなく、上市品でもよい。しかし前記載の各種組成物が基材表面に塗布できる、もしくは基材に含有できる素材、製法が好ましい。塗布する方法は、スプレー、ディッピング、刷毛塗り、静電塗装、ロールコーテイング、プリントなどの方法で施せばよい。含有も公知の溶融の方法で固形分重量％を例えば酸化チタンの場合０，５〜１０重量％など適宜調整して施せばよい。
【発明を実施するための最良の形態】
【００１０】  造花、人工観葉植物の花葉部（イ）の表裏面に、例えば前記載の「ＳＴ−Ｋ０１」コーティング剤をスプレー法で塗布して乾燥させた花葉材、花葉部（ロ）の表裏面に前記載の「フォトピア・アクアライトインキ」を稀釈剤で調整してディッピング法で塗布し乾燥させた花葉材、を立体的に鉢に組み立てアレンジフラワーとした。【００１１】  「００１０」項記載作製のアレンジフラワーと通常の花葉材で鉢に組み立てたアレンジフラワーとを室内の紫外線光量が少ないと思われる場所で比較したところ変色の度合い、色調はほとんど変わらなかった。なお窓際近くの太陽の間接光下で比較したところ色調に変化が生じた。【００１２】  光触媒酸化チタンならびに変色する顔料他を用いて形成される本発明の装飾品の代表例として造花、カーテン、ロールスクリーン、障子、襖、壁紙、網戸、テーブルクロス、タペストリー、各種カーペット、マット、ガラス用フィルム、シャワーカーテン、各種不織布製品、照明灯カバー、ブラインド、シーツ、ベッドカバー、風呂敷、エアコンカバー、洋服カバー、エプロン、傘、ストッキング、ラベル、タッグ類などを挙げることができる。【００１３】
【実施例】  酸化チタン（Ｄ）は光触媒作用の有無は特に制限はないが、造花、人工観葉植物の花葉部の表裏面に前記載の「アクアライトインキ」に石原産業株式会社製光触媒酸化チタン粒子「ＳＴ−３１」もしくは「ＳＴ−０１」を２〜７重量％を混合して塗布し乾燥後に太陽の間接光下に置くと、紫外線吸収に優れた効果があり、より光に反応し易く変色が鮮明となり有効域、場所を選定し易くなることがわかった。また昭和電工株式会社製「ジュピター」なども基材の劣化防止には優れた特徴で好ましい光触媒酸化チタン粒子として利用できた。【００１４】  造花の花部の表裏面に下塗り層として前記載の「アクアライトインキ」を稀釈して塗布し、上塗り層として前記載の「ＳＴ−Ｋ０１」コーティング剤をスプレー法で塗布した。なお前記の下塗り層と上塗り層を反対に用いて施し、該両花部を室内で変色状態を比較したところ、どちらも同じ変色状況であった。ただし消臭効果は未確認。【００１５】  造花の花部の表裏面に前記載の「ＳＴ−Ｋ０１」コーティング剤を塗布した花部の試験片と、他の造花の花部に前記載の「アクアライトインキ」を塗布した花部の試験片を同じガラス容器に入れ、アンモニアガスを注入してブラックライトの光量を照射距離で調整して「アクアライトインキ」を塗布した花部試験片の変色色調が薄い、やや濃いの状態でのそれぞれの消臭試験結果を表１に示します。濃くなる方が消臭効果があることが確認できた。
試料  サンプルＡ：やや濃い色調時  サンプルＢ：薄い色調時
サンプルＣ：光触媒未加工    対象：空試験
（サンプルＣおよび対象の検査はサンプルＡと同条件下で行なった。）
2005170019.tif 000003
【００１６】  合繊の風呂敷の表面側に前記載の組成物（ＡＢ）を塗布して乾燥後、一部に前記載の顔料（Ｃ）で図柄をプリントし、裏面は何も施さないままのものを作製する。該作製品をタバコ臭を付けた上着をハンガーに掛けて表面を外側にして覆い、太陽の間接光下で図柄が薄く変色する場所に吊して放置し６時間後に数人に嗅いで臭気がなくなったことが確認できた【００１７】  薄いポリエステル製プリント生地に前記載の組成物（ＡＢ）を表裏面にスプレー塗布し、表面の一部分に前記載の顔料（Ｃ）で図柄をペイントして、障子紙として使用したところ図柄が変色する設置場所では、繊維織物独特のフィルター様の空間空洞の多さで吸着し易い組成と部屋の対流位置に当たり常設的な使用法でゆっくりと確実に効果を発揮し続ける光触媒酸化チタンには有効であった。また天候、時間帯により色々変化が楽しめた。【００１８】  タッグ、ラベルを前記載の組成物（ＡＢ）と顔料（Ｃ）を用いて作製し、テーブルクロスにつけて設置した。テーブルクロスと同様に太陽の間接光で変色することが確認できた。このことは装飾品や各種の光触媒応用商品に付けると使用範囲の目安に利用でき、併せて汚れないタッグ、ラベルなどが作製できるようになる。
【発明の効果】
【００１９】  本発明によって、装飾品の効果機能を有効に活かせることができる。もしくは基材表面が変色することで目視により、光触媒応用商品をより良い設定場所を探し効果機能活性化を高めることができる。さらには紫外線を予防的に避けたい時の目安にすることもできる。
【図面の簡単な説明】
【図１】本発明の造花等装飾品の造花、人工観葉植物の花葉部の一部拡大の断面図
【図２】本発明の造花等装飾品の造花、人工観葉植物の花葉材の使用参考一例の説明図
【符号の説明】
（イ）（ロ）造花、人工観葉植物の花葉部（Ａ）光触媒作用を有する酸化チタン粒子
（Ｂ）無機質のバインダー（Ｃ）変色する顔料（Ｄ）酸化チタン粒子（Ｅ）芳香族化合物
（ＡＢ）組成物（ＤＣ）酸化チタン粒子と変色する顔料の混合組成物
（ＥＣ）芳香族化合物と変色する顔料の混合組成物
（ＤＥＣ）酸化チタン粒子と芳香族化合物と変色する顔料の混合組成物
（ＤＥ）酸化チタン粒子と芳香族化合物の混合組成物
【図１】
2005170019.tif 000004
【図２】
2005170019.tif 000005